(57)【要約】      （修正有）【課題】骨組み開拡時に安定すると共に、中央支柱を備えるが、中央支柱が上下に伸縮する新規な折畳みテントの骨組み構造を提供する。【解決手段】テント外周に立設される支柱１と、シザース状に枢結した複数のクロス杆で支柱間を軸連結した天枠フレーム２と、天枠フレーム内の中心部から放射状に形成し、天枠フレームと連動して折畳伸長する天井フレーム３を備え、支柱を支柱中心方向に窄めることで折り畳まれ、支柱を放射状に拡げ、テント膜を張着して使用する折畳テントの骨組み構造において、中央支柱４を内外パイプの差込伸縮構造とし、内外パイプの上下端に設けた放射連結体に、折畳伸長で上下間隔が変化する天井フレームの中心側端部を枢結し、使用時状態の最大開拡時に前記中央支柱４の伸縮動作を固定する固定係止機構５を設ける。【選択図】図１
0003180657.tif 000002
【実用新案登録請求の範囲】
【請求項１】
テント外周に立設される支柱と、シザース状に枢結した複数のクロス杆で支柱間を軸連結した天枠フレームと、天枠フレーム内の中心部から放射状に形成し、天枠フレームと連動して折畳伸長する天井フレームを備え、支柱を支柱中心方向に窄めることで折り畳まれ、支柱を放射状に拡げ、テント膜を張着して使用する折畳テントの骨組み構造において、中心部を、内外パイプの差込伸縮構造とした中央支柱と、内外パイプの上下端に設けた放射連結体で構成すると共に、天井フレームの折畳伸長で上下間隔が変化する天井フレームの中心側端部を、上下の各放射連結体に枢結し、最大開拡時に内外パイプの伸縮動作を固定する解除可能な固定係止機構を設けてなる折畳テントの骨組み構造。
【請求項２】
固定係止機構を、下方に配置した内側パイプ下端に設けた放射連結体に、上下中間部分で枢結したレバー構造の可動係止体と、上方に配置した外側パイプの下端に設けた係止鍔部とで構成し、前記可動係止体が、鍔部に係止される上方の係止爪と前記係止爪を開脚する下方の操作部を備え、係止爪を閉脚する方向に付勢すると共に、係止爪の上方内側面を、その上端が鍔部外周縁より外周に達する傾斜面に形成してなる請求項１記載の折畳テントの骨組み構造。
【請求項３】
天井フレームの外周側端部を、支柱における天枠フレームのクロス杆の枢軸連結箇所に設けた上端固定連結体と下方移動連結体に枢軸連結してなる請求項１又は２記載の折畳テントの骨組み構造。
【請求項４】
天井フレームを、折畳状態の支柱高に対応して二つ折りされる主支持杆と、裾側主支持杆の中間と下方移動連結体との間に枢軸連結する裾側補強杆と、棟側主支持杆の中間と下方放射連結体との間に枢軸連結する棟側補強杆とで構成してなる請求項３記載の折畳テントの骨組み構造。
【考案の詳細な説明】
【技術分野】
【０００１】
本考案は、折畳テントの骨組み構造に関するものである。
【背景技術】
【０００２】
種々の折畳テントが知られているが、本考案は、シザース状に枢結した複数のクロス杆で支柱間を枢軸連結した天枠フレームと、天枠フレーム内の中心に位置する中心部から放射状に形成した折畳可能な天井フレームを備え、支柱を支柱中心方向に窄めることで折り畳まれ、支柱を放射状に拡げ、テント幕を張着して使用する折畳テントの骨組み構造に係るものである。
【０００３】
この種の折畳テントの骨組構造における天井フレームは、クロス杆を採用せずに枢結して連結した二つ折り支持杆の中心側端を、放射連結部材に枢軸連結している構造（特許文献１）、クロス杆を採用して中心部に中央支柱を設け、中央支柱に上下二段で且つ上下移動可能に設けた放射連結部材に、クロス杆の中心側端部を枢軸連結している構造が知られており、更に後者において、クロス杆の他端を天枠フレームの中間点に枢軸連結されている構造（特許文献２）と、各支柱に枢軸連結されている構造が知られている（特許文献３）。
【先行技術文献】
【特許文献】
【０００４】
【特許文献１】実開平１−６１３７０号公報。
【特許文献２】特表平６−５０４１０４号公報。
【特許文献３】特開２００３−３２１９５１号公報。
【考案の概要】
【考案が解決しようとする課題】
【０００５】
テント幕を張着するために支柱を拡げた状態で、外部から支柱に対して中心方向へ、即ち折畳方向に力が加わると、テント骨組み構造が直ぐに歪んでしまう。このため支柱の下端に杭止め足を設け、杭打ちによって支柱を地面に固定しているものであるが、テント骨組み開拡時における安定性に欠ける。
【０００６】
また特に中央支柱を採用した場合に、上下二段の放射連結部の一方（特許文献２，３では下段）が固定されている。このため骨組み開拡時には、前記支柱が上方又は下方に突出し、上方に突出した場合には、テント幕の中心を持ち上げる構造となるが、テント幕が天井フレームと離れ、風の影響を受けてばたついてしまう。また下方に突出すると、テント内空間に垂れ下がることになり、テント自体が使い難くなってしまう。
【０００７】
そこで本考案は、骨組み開拡時に安定すると共に、中央支柱を備えるが、中央支柱が上下に伸縮する新規な折畳テントの骨組み構造を提案したものである。
【課題を解決するための手段】
【０００８】
本考案（請求項１）に係る折畳テントは、テント外周に立設される支柱と、シザース状に枢結した複数のクロス杆で支柱間を軸連結した天枠フレームと、天枠フレーム内の中心部から放射状に形成し、天枠フレームと連動して折畳伸長する天井フレームを備え、支柱を支柱中心方向に窄めることで折り畳まれ、支柱を放射状に拡げ、テント幕を張着して使用する折畳テントの骨組み構造において、中心部を、内外パイプの差込伸縮構造とした中央支柱と、内外パイプの上下端に設けた放射連結体で構成すると共に、天井フレームの折畳伸長で上下間隔が変化する天井フレームの中心側端部を、上下の各放射連結体に枢結し、最大開拡時に内外パイプの伸縮動作を固定する、解除可能な固定係止機構を設けてなることを特徴とするものである。
【０００９】
而して支柱が互いに離れる方向に拡げると、天枠フレーム及び天井フレームが伸長し、同時に天井フレームの中心側端部の上下間隔が狭まり、中心部の内パイプが外パイプ内に挿入する。最大開拡時において、挿入された内パイプと外パイプ間を固定係止すると、最大開拡された状態で全体が固定される。
【００１０】
また天井フレームは支柱頂部と中央支柱頂部を連結するものであるから、テント幕の屋根面は天井フレームと接することになり、適宜な手段（例えばテントに設けた止着バンド等）でテント幕を天井フレームに確りと止着することができる。
【００１１】
また本考案（請求項２）に係る折畳テントは、固定係止機構を、下方に配置した内パイプ下端に設けた放射連結体に、上下中間部分で枢結したレバー構造の可動係止体と、上方に配置した外パイプの下端に設けた係止鍔部とで構成し、前記可動係止体が、鍔部に係止される上方の係止爪と前記係止爪を開脚する下方の操作部を備え、係止爪を閉脚する方向に付勢すると共に、係止爪の上方内側面を、その上端が鍔部外周縁より外周に達する傾斜面に形成してなるものである。
【００１２】
而して骨組みを拡げると、中心部の内パイプが上昇して外パイプ内に挿入し、可動係止体の上方内側の傾斜面が係止鍔部の外周に当接すると、内パイプの上昇に伴って付勢力に抗して開脚し、最大開拡時に係止爪が係止鍔部に係止される。従って骨組みを開拡して最大開拡状態に達すると、自動的に固定係止機構が動作して、骨組みを固定状態とする。更に収納時の折畳に際しては、可動係止体の操作部を摘まんで係止解除を行う。
【００１３】
また本考案（請求項３）に係る折畳テントは、天井フレームの外周側端部を、支柱における天枠フレームのクロス杆の枢軸連結箇所に設けた上端固定連結体と下方移動連結体に枢軸連結してなるもので、天井フレームの裾側を天枠フレームのクロス杆の軸連結部とせずに支柱に連結することで、屋根骨組み構成が平面三角構造となり、堅牢に形成することになり、且つクロス杆の組み合わせ数が偶数に限定されない。
【００１４】
また本考案（請求項４）に係る折畳テントは、前記の天井フレームを、折畳状態の支柱高に対応して二つ折りされる主支持杆と、裾側主支持杆の中間と下方移動連結体との間に枢軸連結する裾側補強杆と、棟側主支持杆の中間と下方放射連結体との間に枢軸連結する棟側補強杆とで構成してなるもので、天井フレームにシザース状のクロス杆を採用しないので、折畳時のコンパクト化が実現し、主支持杆の長さに関わらず（折畳時を考慮して同一長に二分しても）、各補強杆の長さで天枠フレーム端間隔の上下幅に対応でき、且つ中央支柱の上下伸縮長さに対応できることになる。
【考案の効果】
【００１５】
本考案の構成は上記のとおりで、支柱の開拡閉窄操作で折畳がなされるテント骨組みにおいて、特に中心部に伸縮機能を備えた中央支柱と、使用時状態の最大開拡時に前記中央支柱の伸縮動作を固定する固定係止機構を設けたもので、使用時における骨組みの安定性が高められ、また中央支柱が上方に突出することが無いので、テント幕を天井フレームに容易に試着することができ、テント幕のバタツキを防ぐことができる。
【図面の簡単な説明】
【００１６】
【図１】本考案の実施形態の全体図（使用時状態）。
【図２】同図（折畳状態）。
【図３】同骨組構造の説明図。
【図４】同中央支柱の構造図（使用時状態）
【図５】同固定係止状態の説明図。
【図６】同固定係止解除時状態の説明図。
【考案を実施するための形態】
【００１７】
次に本考案の実施形態について説明する。実施形態に示した折畳テントの骨組み構造は、支柱の開拡閉窄操作で使用状態から折畳状態に移行するもので、支柱１、天枠フレーム２、天井フレーム３、中央支柱４、固定係止機構５で構成される。
【００１８】
支柱１はテントの四隅に立設するもので、パイプ状の主支柱１１と、前記主支柱１１から下方への抜き出し固定が自在に行えるように設けた伸長支柱１２からなり、主支柱１１の上端には、固定連結体１３を設け、下方には上下移動自在とした移動連結体１４を設けたものである。
【００１９】
固定連結体１３及び移動連結体１４は、隣接する支柱１との間に架設する天枠フレーム２の各端部を、枢軸連結（ピボット連結）する９０度の角度で設けた軸受け部と、対角線方向に設けた軸受け部を備えているものであり、伸長支柱１２の下端には杭孔を有する足板１５を設けたものである。
【００２０】
天枠フレーム２は、従前周知の構造で、シザース状に枢結した複数のクロス杆の各端部を軸連結して、支柱１間に架設したもので、天枠フレーム２の両端は、それぞれ固定連結体１３と移動連結体１４に枢軸連結したものである。
【００２１】
天井フレーム３は、主支柱１１の高さと略一致する長さの二本の主支持杆（裾側主支持杆３１と棟側主支持杆３２）と、各主支持杆３１、３２の中間に枢軸連結する二本の補強杆（裾側補強杆３３と棟側補強杆３４）で構成される。
【００２２】
裾側主支持杆３１と棟側主支持杆３２とは、二つ折り可能に枢軸連結したもので、裾側主支持杆３１の端部は固定連結体１３に、棟側主支持杆３２の端部は後述する上方放射連結体４３に、裾側補強杆３３の端部は移動連結体１４に、棟側補強杆３４の端部は、下方放射連結体４４にそれぞれ枢軸連結して、支柱１と中央支柱４間に架設するものである。
【００２３】
中央支柱４は、上方の外パイプ４１に下方の内パイプ４２を差し込んで伸縮構造とし、外パイプ４１の上端に前述した棟側主支持杆３２を連結する上方放射連結体４３を設け、内パイプ４２の下端に前述した棟側補強杆３４を連結する下方放射連結体４４を設けたものである。
【００２４】
固定係止機構５は、外パイプ４１の下端に設けた係止鍔部５１と、下方放射連結体４４に付設した可動係止体５２で構成されるもので、係止鍔部５１は可動係止体５２の動作範囲に対応する外周端を備えているものである。
【００２５】
可動係止体５２は、上下中間部分で枢結されたレバー構造で、枢結位置より上方の内側面に、前記係止鍔部５１に係止される係止爪５３を設け、係止爪５３が中心方向に閉脚するように回動付勢されるバネを組み込み、枢結位置より下方を、付勢力に抗して係止爪５３を開脚させる操作部５４としているものである。
【００２６】
更に係止爪５３より上方の内側面を、その上端が係止鍔部５１の外周縁より外周に達する傾斜面５５に形成してなるものである。
【００２７】
而して折畳状態では、図２に示すように支柱１が窄められ、天枠フレーム２及び天井フレーム３の各杆は、枢軸連結点で回動して縦に収められる。使用時には支柱１を互いに離れる方向に拡げると、天枠フレーム２及び天井フレーム３が伸長し、同時に天井フレーム３の中心側端部、即ち棟側主支持杆３２及び棟側補強杆３４の端部の上下間隔が狭まり、内パイプ４２が上昇して外パイプ４１内に挿入する。
【００２８】
更に支柱１が拡げられ、内パイプ４２の上昇で可動係止体５２の上方内側の傾斜面５５が係止鍔部５１の外周縁に当接すると、内パイプ４２の上昇に伴って付勢力に抗して係止爪５３が開脚し、テント骨組みが最大開拡時に至ると、係止爪５３が係止鍔部５１の外周縁を越え、付勢力で閉脚して係止鍔部５１に係止される。
【００２９】
従ってテント骨組みの支柱１を開拡し、骨組みが使用状態となる最大に開拡した際に、自動的に固定係止機構５が動作して、中央支柱４が伸長しないように係止される。即ち中央支柱４の伸長阻止は、天枠フレーム２の短縮も阻止し、同時に天枠フレーム２の短縮動作も阻止し、骨組み全体が固定状態となる。
【００３０】
また収納時の折畳に際しては、可動係止体５２の操作部５４を指で摘まんで係止を解除して僅かに内パイプ４２を引き下げると、骨組み全体の固定が解除され、そのまま支柱１を窄めることで図２の状態に復帰させることができる。
【符号の説明】
【００３１】
１      支柱
１１    主支柱
１２    伸長支柱
１３    固定連結体
１４    移動連結体
１５    足板
２      天枠フレーム
３      天井フレーム
３１    裾側主支持杆
３２    棟側主支持杆
３３    裾側補強杆
３４    棟側補強杆
４      中央支柱
４１    外パイプ
４２    内パイプ
４３    上方放射連結体
４４    下方放射連結体
５      固定係止機構
５１    係止鍔部
５２    可動係止体
５３    係止爪
５４    操作部
５５    傾斜面
【図１】
0003180657.tif 000003
【図２】
0003180657.tif 000004
【図３】
0003180657.tif 000005
【図４】
0003180657.tif 000006
【図５】
0003180657.tif 000007
【図６】
0003180657.tif 000008